(57)【要約】【課題】入力画像データから指定の色に色調変換処理するときに、希望通りの色に変換するための作業負担を軽減する。【解決手段】入力画像データ取得部Ｃ２０１が入力画像データを取得し、利用者が基準色指定部Ｃ２０２を用いて基準色を指定し、色相変更部Ｃ２０３が基準色指定部Ｃ２０２により指定された基準色の色相を変更する。次いで、類似色生成Ｃ２０４が基準色指定部Ｃ２０２により指定された基準色の色相に基づいて、複数の方向に変換した複数の類似色を生成する。次いで、色調変換処理部Ｃ２０５が基準色指定部Ｃ２０２により指定された基準色、類似色生成部Ｃ２０４により生成された複数の類似色に基づいて、入力画像データの色調を変換する。次いで、色調変換処理部Ｃ２０５により生成された複数の画像データを列挙して表示部１４に表示する。【選択図】図２
2015032146.tif 000002
【特許請求の範囲】
【請求項１】
入力画像データを取得する入力画像取得手段と、
基準色を指定する基準色指定手段と、
前記基準色指定手段により指定された基準色の色相を変更する色相変更手段と、
前記基準色指定手段により指定された基準色の色相に基づいて、複数の方向に変換した複数の類似色を生成する類似色生成手段と、
前記基準色指定手段により指定された基準色、前記類似色生成手段により生成された複数の類似色に基づいて、前記入力画像データの色調を変換する色調変換処理手段と、
前記色調変換処理手段により生成された複数の画像データを列挙して表示する表示手段と、を備えることを特徴とする画像処理装置。
【請求項２】
前記類似色生成手段は、前記基準色指定手段により指定された基準色に代わって、前記色相変更手段により変更された変更済み基準色の色相に基づいて、複数の方向に変換した複数の類似色を生成することを特徴とする請求項１記載の画像処理装置。
【請求項３】
前記色調変換処理手段は、前記基準色指定手段により指定された基準色に代わって、前記色相変更手段により生成された変更済み基準色、前記類似色生成手段により生成された複数の類似色に基づいて、前記入力画像データの色調を変換することを特徴とする請求項１記載の画像処理装置。
【請求項４】
前記色相変更手段は、指定された基準色の色相を判別し、該色相に応じた値を用いて色相を変更することを特徴とする請求項１記載の画像処理装置。
【請求項５】
入力画像データを取得する入力画像取得ステップと、
基準色を指定する基準色指定ステップと、
前記基準色指定ステップにより指定された基準色の色相を変更する色相変更ステップと、
前記基準色指定ステップにより指定された基準色の色相に基づいて、複数の方向に変換した複数の類似色を生成する類似色生成ステップと、
前記基準色指定ステップにより指定された基準色、前記類似色生成ステップにより生成された複数の類似色に基づいて、前記入力画像データの色調を変換する色調変換処理ステップと、
前記色調変換処理ステップにより生成された複数の画像データを列挙して表示する表示ステップと、を備えることを特徴とする画像処理方法。
【請求項６】
前記類似色生成ステップは、前記基準色指定ステップにより指定された基準色に代わって、前記色相変更ステップにより変更された変更済み基準色の色相に基づいて、複数の方向に変換した複数の類似色を生成することを特徴とする請求項５記載の画像処理方法。
【請求項７】
前記色調変換処理ステップは、前記基準色指定ステップにより指定された基準色に代わって、前記色相変更ステップにより生成された変更済み基準色、前記類似色生成ステップにより生成された複数の類似色に基づいて、前記入力画像データの色調を変換することを特徴とする請求項５記載の画像処理方法。
【請求項８】
前記色相変更ステップは、指定された基準色の色相を判別して、該色相に応じた値を用いて色相を変更することを特徴とする請求項５記載の画像処理方法。
【請求項９】
請求項５乃至８の何れか１つ記載の各ステップを、据え置き型コンピュータ、複写機、組み込み端末、電子計算機、画像データベース、タブレット端末、スマートフォン端末、携帯情報機器、ＩＴ機器、汎用電子計算機、大型電子計算機の何れか１つに搭載されたプロセッサに実行させることを特徴とする画像処理プログラム。
【発明の詳細な説明】
【技術分野】
【０００１】
本発明は、入力画像に色調変換処理を行うことにより所望の色調の画像に変換するのに好適な画像処理装置、画像処理方法及び画像処理プログラムに関する。
【背景技術】
【０００２】
従来、入力画像データに対して、例えば画像を明るくして欲しいという要望や、画像を赤色に近い色に変更して欲しいという要望がある。しかしながら、従来の画像処理装置による色調変換処理では、色調変換処理を自動で行うが、最終的な変色後の画像を生成するためには、多くの操作、微調整のための繰り返し操作を必要としていた。
同様にフォトショップに備えられたフォトレタッチソフトを用いて、対象のオブジェクトを切り出して、その領域内部のガンマ曲線などを変化することで、色調整を行うという使用方法がある。
【０００３】
特許文献１には、入力画像から最適な画像データを作成する目的で、入力画像データに対する予測した最適な処理パラメータをユーザに推奨することにより、ユーザが少ない操作（メニューからの選択やパラメータ設定）で、所望の画像を得ることができるという構成が開示されている。
特許文献２には、色空間を切り替えながら色調整が可能であり、かつ、色空間の切り替え時に、切り替え後の色空間における色調整の内容をユーザが把握しやすい形で表示する目的で、特許文献２（図６）に示すように、切り替え後の色空間における色調整の内容をＧＵＩで提供する構成が開示されている。
特許文献３には、色空間を切り替えながら色調整が可能であり、かつ、色空間の切り替え時に、切り替え後の色空間における色調整の内容をユーザが把握しやすい形で表示する目的で、特許文献３（図６）に示すように、切り替え後の色空間における色調整の内容をＧＵＩで提供する構成が開示されている。
【０００４】
特許文献４には、基準色を指定し、指定された基準色の色相を変更し、指定された基準色、また色相変換手段によって生成された基準色改と、類似色で入力画像の色調を変換して表示する目的で、特許文献４において、ユーザは表示された画像の任意の画素をポインタで指定し、指定した画素に対する所望の色の指定をカラーパレット調整のＵＩが提供されており、ＵＩを通じて行う。ＵＩには色相のカラーパレットと明度のカラーパレットが設けられている。色相のカラーパレットはそれぞれ色相の異なる複数の選択パッチを有していて、この中から所望の色を指定することができる構成が開示されている。
特許文献５には、カメラに撮影した画像の色相を補正する目的で、特許文献５において、表示装置に撮影画像データ（これを基準画像とする）を中心に表示し、その周囲に８個の色調変換画像を表示し、選択した画像データを印刷する構成となっている。８個の表示画像は、撮影画像データに対して、所定の色味補正を掛けた画像データを上下に配置し、その左右には、撮影画像データ、及び、色味補正を掛けた画像に対して明るさの補正を掛けた画像データを配置する構成が開示されている。
【発明の概要】
【発明が解決しようとする課題】
【０００５】
ところで、入力画像データの特定の箇所に対して色調変換処理を行うときに、基準色を選択した段階では必ずしも利用者（編集者）にとって該基準色が最適の色調になっていない場合もある。しかし、基準色の色調が所望の色と大きくかけ離れているわけでもない。このため、利用者は色調を微調整（微修正）する必要があった。
しかしながら、このような色調の微調整作業は繰り返し作業のため所要時間を要していた。また画像処理装置に不慣れな利用者には、このような作業による画像修正は難しいという問題もあった。
また、利用者が想起した所望のイメージのように色調変換を行いたいにもかかわらず、利用者の意図が十分に反映されていないという問題があった。
ここで、従来の問題点についてのイメージを図１０に示す。
特定の箇所を色調変換処理するのに行われる色調変換処理については周知技術である。顔（青枠線１０１内）、体（深緑枠線１０２内）の色を指定した基準色で色調変換をしたいという要望がある。
画像処理装置により色調変換処理自体は自動で行われるが、色の微妙な違いまで対応したいというニーズには対応できないため、入力画像データ（ａ）に対して、（ｂ）顔（枠線内）と体（枠線内）の色を指定した基準色で色調変換し、（ｃ）編集画像データを得るが、（ｄ）所望の色調になるまで繰り返し処理（指定色（１）（２）（３）の変更を繰り返す作業）を行う必要があった。
【０００６】
特許文献１には、画像データに対する予測した最適な処理パラメータをユーザに推奨する形で提供されている点が記載されている。しかし、特許文献１では、必ずしもユーザの要望（例えば赤から青に変えるなど色相を大きく変えるような要望）には対応できず、またユーザからの漠然とした要求（明るくして欲しいなど）には対応できないという問題を解消できていない。
特許文献２には、色空間における色調整の内容をユーザが把握しやすい形で表示する点が記載されている。しかし、特許文献２では、希望通りの色空間になるまで、繰り返し処理を必要としていたので、作業負担がかかるという問題は解消できていない。さらに、利用者が持つイメージ通りの色調に変換しづらいという致命的な問題は解消できていない。
特許文献３には、色空間における色調整の内容をユーザが把握しやすい形で表示する点が記載されている。しかし、特許文献３では、希望通りの色空間になるまで、繰り返し処理を行う必要があったので、作業負担がかかるという問題は解消できていない。さらに、利用者が持つイメージ通りの色調に変換しづらいという致命的な問題は解消できていない。
【０００７】
特許文献４には、色空間における色調整の内容をユーザが把握しやすい形で表示する点が記載されている。しかし、特許文献４では、ユーザによって指定された基準色（第１パッチという）と、基準色１０５に対して色相・明度を変換した複数の類似色１０６−１〜１０６−８（特許文献４では第２パッチという）を列挙表示する（編集用パレットという）という構成では、類似色だけを表示している（図１１を参照）構成であると推測される。しかし、類似色だけを表示する構成では、類似色を入力画像の特定の箇所に色彩転写したあとの結果を表示していないため、結果画像の印象を把握することが困難であるという問題は解消できていない。さらに、利用者が持つイメージ通りの色調に変換しづらいという致命的な問題は解消できていない。
特許文献５には、表示装置に撮影画像データ（これを基準画像とする）を中心に表示し、その周囲に８個の色調変換画像を表示する点が記載されている。しかし、特許文献５では、「基準画像」があるものの、「基準色」という概念がない。また、基準画像に対して、「明るさ」「鮮やかさ」「色」「コントラスト」の補正パラメータを機械的に増減しているだけに過ぎず、また基準画像全体に対して補正をしているため、利用者が希望している色調に変換することが困難であるという問題は解消できていない。さらに、基準画像にある、基準色以外の色まで一緒に補正されてしまう（利用者が意図するものではない）という致命的な問題は解消できていない。
【０００８】
このように、微調整を行う度に、色調変換処理を回数分繰り返し行う必要があり、利用者（編集者）には大きな作業負担となっていた。
そこで、入力画像データから指定の色に色調変換処理を行うときに、希望通りの色に変換するための操作を軽減するための色補正処理を提供することが切望されている。
本発明は、上記に鑑みてなされたもので、その目的としては、入力画像データから指定の色に色調変換処理するときに、希望通りの色に変換するための作業負担を軽減するための色補正処理が可能な画像処理装置及び画像処理方法を提供することを目的とする。
【課題を解決するための手段】
【０００９】
上記課題を解決するため、請求項１記載の発明は、入力画像データを取得する入力画像取得手段と、基準色を指定する基準色指定手段と、前記基準色指定手段により指定された基準色の色相を変更する色相変更手段と、前記基準色指定手段により指定された基準色の色相に基づいて、複数の方向に変換した複数の類似色を生成する類似色生成手段と、前記基準色指定手段により指定された基準色、前記類似色生成手段により生成された複数の類似色に基づいて、前記入力画像データの色調を変換する色調変換処理手段と、前記色調変換処理手段により生成された複数の画像データを列挙して表示する表示手段と、を備えることを特徴とする。
【発明の効果】
【００１０】
本発明によれば、入力画像データを取得し、利用者が基準色を指定し、指定された基準色の色相を変更し、指定された基準色の色相に基づいて、複数の方向に変換した複数の類似色を生成し、指定された基準色、生成された複数の類似色に基づいて、入力画像データの色調を変換し、生成された複数の画像データを列挙して表示する。これにより、希望通りの色に変換するための作業負担を軽減することができる。
【図面の簡単な説明】
【００１１】
【図１】本発明の第１実施形態に係わる画像処理装置１のハードウエアのブロック構成を示す図である。
【図２】本発明の第１実施形態に係る画像処理装置に適用可能な画像処理部１６の内部に設けられた機能ブロックによる処理の流れを示す図である。
【図３】本実施形態による色調変換後のイメージを示す図である。
【図４】（ａ）（ｂ）は８方向の類似色について説明するための図である。
【図５】図４に示す８つの類似色と、入力画像データを色調変換した後の画像を示す図である。
【図６】本発明の第２実施形態に係る画像処理装置に適用可能な画像処理部１６の動作を示すフローチャートである。
【図７】（ａ）（ｂ）（ｃ）は画像処理の対象となる画像データに対して色調補正を行いたい箇所を手動で設定するときのイメージを示す図である。
【図８】（ａ）（ｂ）（ｃ）は範囲指定から注目色・周囲色を抽出するための一連の処理を示す図である。
【図９】Ｌ＊ａ＊ｂ＊表示系の色度（色相と彩度）を示す図である。
【図１０】（ａ）（ｂ）（ｃ）（ｄ）は従来の問題点について説明するためのイメージを示す図である。
【図１１】基準色と類似色を示す模式図である。
【発明を実施するための形態】
【００１２】
本発明の実施形態について説明する。本実施形態は、入力画像データに対して、色調変換処理を容易に行えるようにするための方法に際して、以下の特徴を有する。
要するに、入力画像データを取得し、入力画像データの特定の箇所を指定し、特定の箇所の色調を、別の色（これを基準色とする）に変更するための選択を行わせ、基準色の色相をシフトし、シフトした基準色から複数の類似色を生成する。そして、基準色で入力画像データの特定の箇所の色調変換処理し、類似色で入力画像データの特定の箇所の色調変換処理し、基準色で変換した画像データと、類似色で変換した画像データを列挙表示して選択させることを特徴にしている。
以下、本発明の実施形態について、図面を参照して説明する。
【００１３】
＜第１実施形態＞
図１を参照して、本発明の第１実施形態に係わる画像処理装置１のハードウエアのブロック構成について説明する。
画像処理装置１は、据え置き型コンピュータ、複写機、組み込み端末、電子計算機、画像データベース装置、タブレット端末、スマートフォン端末、携帯情報機器、ＩＴ機器、汎用電子計算機、大型電子計算機などを想定することができる。画像処理装置１は、図１に示すようなブロック構成を備えている。
ＣＰＵ１０は、ＲＯＭ（図示しない）又はハードディスクからプログラムを読み出してＲＡＭに記憶し、ＲＡＭから順次にプログラムを読み出して装置全体の制御を実行する。
スキャナ部１１は、原稿台上に置かれた例えば記録媒体（例えば、紙体）となる原稿に対してラインセンサを走査することで原稿から画像データを読み取る。
外部記憶部１２は、デジタルカメラ（図示しない）で被写体を撮影したことにより取得されたカメラ画像や処理結果の情報をハードディスクやＣＤ／ＤＶＤ／メモリカードなどの記憶媒体に記憶する。記憶媒体としては、ＣＤ−ＲＯＭ、ＤＶＤ−ＲＯＭ／Ｒ／ＲＷ／ＲＡＭ、Ｂｌｕ−ｒａｙ（登録商標）  Ｄｉｓｃのようなディスク１９、またはハードディスクＨＤＤ、ＳＤやＵＳＢメモリカード等のフラッシュメモリカードのような記憶装置２０でもよい。
【００１４】
入力画像メモリ部１３は、スキャナ部１１又は外部記憶部１２から原稿ファイルを読み取った入力画像を記憶する。
表示部１４は、入力画像をモニタの表示画面上にプレビュー表示する。
操作部１５は、表示部１４の表示画面の表層に配置されたタッチパネルに対する利用者によるクリック操作やタップ操作やドラッグ操作等を入力するとともに、該操作時の座標データを入力する。
画像処理部１６は、入力画像をＶＲＡＭ上に記憶しておき、ＶＲＡＭ上の画像データに対して位置あわせ処理、拡大縮小処理、回転処理、ノイズ付与・除去処理、スキュー補正処理などの画像処理を行う。
テンプレート出力部１７は、帳票のテンプレートデータを出力する。
通信制御部１８は、インターネット、クラウドなどのネットワーク網Ｎを介して外部から入力画像を受信する一方、処理結果の情報をネットワークＮを介して外部に配信する。
【００１５】
図２は本発明の第１実施形態に係る画像処理装置に適用可能な画像処理部１６の内部に設けられた機能ブロックによる処理の流れを示す図である。
まず、入力画像取得部Ｃ２０１は、スキャナ部１１で原稿をスキャンして画像データを読み取り、または外部記憶部１２から画像データを読み出し、または通信制御部１８を介してＷｅｂサイトから画像データを受信することで画像データを取得し、画像処理部１６のＶＲＡＭに記憶する。画像処理部１６のＶＲＡＭに画像データが記憶されると、画像処理部１６はフレームレートでＶＲＡＭから画像データを読み出して表示部１４に出力する。これにより、画像データが表示部１４に表示される。
【００１６】
次いで、基準色指定部Ｃ２０２は、所望の任意の色に変換するための基準色を決定する。なお、基準色指定部Ｃ２０２では手作業により指定される。すなわち、表示部１４に表示されている画像に対して、表示部１４の表示画面の表層に配置されたタッチパネルに対する利用者によるクリック操作やタップ操作やドラッグ操作等を操作部１５が受け付けて入力するとともに、該操作時の座標データを入力する。これにより、操作部１５から取得した座標データが画像処理部１６に入力され、ＶＲＡＭに記憶されている画像データのうち当該座標データに対応する位置の画像データを基準色として取得する。
次いで、色相変更部Ｃ２０３は、基準色の色相を変更する。色相変更手部Ｃ２０３は、指定された基準色の色相を判別し、該色相に応じた値を用いて色相を変更するようにしてもよい。
次いで、類似色生成部Ｃ２０４は、基準色指定部Ｃ２０２によって指定された基準色の色相に基づいて、複数の方向に変換した複数の類似色を生成する。なお、類似色生成部Ｃ２０４は、基準色指定部Ｃ２０２により指定された基準色に代わって、色相変更部Ｃ２０３により変更された変更済み基準色の色相に基づいて、複数の方向に変換した複数の類似色を生成してもよい。
【００１７】
次いで、基準色／類似色の色調変換処理部Ｃ２０５は、基準色と、類似色指定部Ｃ２０４によって生成された複数の類似色に基づいて、ＶＲＡＭに記憶した入力画像データの色調を変換する。なお、色調変換処理部Ｃ２０５は、基準色指定Ｃ２０２により指定された基準色に代わって、色相変更部Ｃ２０３により生成された変更済み基準色、類似色生成部Ｃ２０４により生成された複数の類似色に基づいて、入力画像データの色調を変換してもよい。
次いで、結果データ出力部Ｃ２０６は、基準色の色調変換処理部Ｃ２０５によって生成された基準色の結果画像データと、類似色の色調変換処理部Ｃ２０５によって生成された、複数の類似色の結果画像データを列挙して表示部１４に表示する。
ここで、本実施形態による色調変換後のイメージを図３に示す。
図３において、人物の顔部分の色を「白」方向に微調正したい場合、どの程度「白」方向にシフトするのか解り難いため、微妙な違いで、理想的な画像ができるまで繰り返し作業が発生する。
【００１８】
本実施形態によれば、スキャナ・デジタルカメラなどのデバイスから取得した入力画像データを用意し、基準色を手動操作で選択する。選択された基準色で入力画像データの色調を変換する。これを基準画像データとする。同時に、選択された基準色の色相を目視確認して、基準色の色相をシフトする。
ここで、図４は８方向の類似色について説明するための図である。図４（ａ）には基本となるＬａｂ色空間上の基準色２５と類似色２６−１〜２６−８を示し、図４（ｂ）にはシフト後の基準色２５ｓと類似色２６ｓ１〜２６ｓ８を示す。
図４（ｂ）に示すように、シフトされた基準色２５ｓの色相を、上下左右８方向に変換した類似色２６ｓ１〜２６ｓ８を生成して、８方向（８色）の類似色で入力画像データの色調を変換する。これを８方向の類似色画像データとする。
ここで、図５は、図４に示す８つの類似色と同様の類似色２６ｓ１〜２６ｓ８と、入力画像データ２８を色調変換した後の画像２８ｓ１〜２８ｓ８を示す。なお、色空間は、Ｌａｂに限らず、ＲＧＢ、ＣＭＹＫなどのカラーマップを用いて構成してもよい。
基準画像データ２８ｓと、類似色画像データ２８ｓ１〜２８ｓ８を列挙して表示して、９種類の画像データの少なくとも１つを選択（クリック操作）させることによって、利用者が最低限９枚の画像データを生成する手間が軽減される。
これにより、入力画像データから指定の色に色調変換処理するときに、希望通りの色に変換するための操作を軽減することができる。
【００１９】
このように、入力画像データ取得部Ｃ２０１が入力画像データを取得し、利用者が基準色指定部Ｃ２０２を用いて基準色を指定し、色相変更部Ｃ２０３が基準色指定部Ｃ２０２により指定された基準色の色相を変更する。次いで、類似色生成Ｃ２０４が基準色指定部Ｃ２０２により指定された基準色の色相に基づいて、複数の方向に変換した複数の類似色を生成する。次いで、色調変換処理部Ｃ２０５が基準色指定部Ｃ２０２により指定された基準色、類似色生成部Ｃ２０４により生成された複数の類似色に基づいて、入力画像データの色調を変換する。次いで、色調変換処理部Ｃ２０５により生成された複数の画像データを列挙して表示部１４に表示する。これにより、入力画像データに対して色調変換処理を行う際に、基準色だけで色調変換処理を行う（すなわち、１枚だけの画像データができる）のではなく、基準色から１方向以上の複数の類似色（ここでは仮に８方向とする）を生成して、この８方向に対応した、８個の類似色で色調変換処理を実行して、８個の画像データを生成して、これらを列挙表示する。この結果、画像処理に係わる操作上の手間を軽減することができ、例えば、従来では少なくとも９回の画像処理を行ったのに対して、本実施形態では１回の画像処理で行うことができる。
また、基準色の色相変換処理により、利用者が求めているイメージにより（別の方式を遙かに超えるぐらい）近づけることができる。
【００２０】
また、類似色生成部Ｃ２０４は、基準色指定部Ｃ２０２により指定された基準色に代わって、色相変更部Ｃ２０３により変更された変更済み基準色の色相に基づいて、複数の方向に変換した複数の類似色を生成することで、画像処理に係わる操作上の手間を軽減することができる。
さらに、色調変換処理部Ｃ２０５は、基準色指定部Ｃ２０２により指定された基準色に代わって、色相変更部Ｃ２０３により生成された変更済み基準色、類似色生成部Ｃ２０４により生成された複数の類似色に基づいて、入力画像データの色調を変換することで、画像処理に係わる操作上の手間を軽減することができる。
また、色相変更部Ｃ２０３は、指定された基準色の色相を判別し、該色相に応じた値を用いて色相を変更することで、利用者の好みに応じたシフト量に変更することができる。この結果、利用者がイメージしている色相により近づけることができる。
【００２１】
＜第２実施形態＞
図６は本発明の第２実施形態に係る画像処理装置に適用可能な画像処理部１６の動作を示すフローチャートである。図７は画像処理の対象となる画像データに対して色調補正を行いたい箇所を手動で設定するときのイメージを示す図である。
まず、ＣＰＵ１０は、スキャナ部１１、外部記憶部１２、通信制御部１８等から入力画像データを取得してＶＲＡＭに記憶する（Ｆ３０１）。画像処理部１６のＶＲＡＭに画像データが記憶されると、画像処理部１６はフレームレートでＶＲＡＭから画像データを読み出して表示部１４に出力する。これにより、画像データが表示部１４に表示される。
【００２２】
ＣＰＵ１０は、入力画像データの特定の箇所に対して変色したい色を示す基準色を設定する（Ｆ３０２）。なお、ここでは手作業により指定される。すなわち、表示部１４に表示されている画像に対して、表示部１４の表示画面の表層に配置されたタッチパネルに対する利用者によるクリック操作やタップ操作やドラッグ操作等を操作部１５が受け付けて入力するとともに、該操作時の座標データを入力する。これにより、操作部１５から取得した座標データが画像処理部１６に入力され、ＶＲＡＭに記憶されている画像データのうち当該座標データに対応する位置の画像データを基準色として取得する。この結果、設定された基準色となる。
ＣＰＵ１０は、入力画像データに対して、色調補正を施したい箇所を手動で設定する（Ｆ３０３）。
色調補正を施したい箇所（範囲）の範囲選択として、図７（ａ）に示すように矩形領域３１による範囲選択、（ｂ）に示すように多角形領域３２による範囲選択、（ｃ）に示すようにピンポイント領域３３（１点のみ）、などにより指定することとする。なお、他選択手法として色調補正を施したい箇所（範囲）の外形を追跡するように指定してもよく、他の手法をであってもよい。
【００２３】
ＣＰＵ１０は、ステップＦ３０３で設定した、色調補正をしたい箇所に対して、注目色・周囲色を抽出する。なお、この注目色・周囲色を抽出することについては、特許文献５にはない構成である。
注目色・周囲色抽出処理には、様々な方法が挙げられるが、そのうちの一般的な方法を例示する。指定した範囲に点在する画素の分布により、一番頻度が多い画素を注目色とし、また、範囲内の画素の平均色を周囲色とする。
【００２４】
なお、上記手法とは別の手法で注目色・周囲色を抽出するように構成してもよい。
範囲指定から注目色・周囲色を抽出するための一連の処理を図８に示す。
図８において、対象画像データに対して色調補正をしたい箇所を手動で設定する。
図８（ａ）に示すように、色調補正したい箇所３５（破線内の顔部分が対象）、点指定の場合に例えば顔部分の一点を指定する。次いで、図８（ｂ）に示すように、注目色・周囲色抽出部４０による処理を実行し、入力画像データから抽出された注目色・周囲色を用いて、入力画像データに対して注目色・周囲色で切ったマスクデータを生成する。図８（ｃ）は抽出された注目色３６と周囲色３７を示す。
【００２５】
次に、ＣＰＵ１０は、基準色の色相を変更する（Ｆ３０４）。これは、基準色から類似色を決定するとき、基準色の色相によって、類似色の傾向がある程度固まるという傾向を持つ。そこで、基準色の色系に対応した「色を感性で表現した文字」の対応表を用いて、基準色の色相を変更する。
具体的には、指定した基準色が「緑系」の色である場合、画像処理装置（ソフトウェアプログラム含む）側は、下記の対応表（表１）から「利用者（編集者）が色調変換処理後の画像は『安息、自然』を求めていると判定する。色調変換処理の後に、基準色のＬａｂ値をそれぞれ、−ａ＊方向、＋ｂ＊方向に色相をシフトする。図４に基準色の色相をシフトするときの説明図を示す（類似色８点）。基準色の色相をシフトする値については、基本的に任意の値（利用者が決めることで、幅を持たせる）とするが、説明の便宜上、暫定値として１．０と設定する。
【００２６】
基準色の色相をシフトした後、シフト後の基準色から類似色を生成する。
こうして、『安息、自然』方向にシフトを置いた画像データ群が生成され、より利用者が求めている理想（『安息、自然』のイメージに近づく）に、より（他の方式と比べものにならないくらい非常に）近づけることができる。
なお、Ｌａｂ値の表示系色度に沿った描き方とするが、必ずしもＬａｂ値に依存する必要は全くない。ＲＧＢ系などでも可能であるが、その説明を省略する。
なお、「色を感性で表現した文字」値は利用者の感性に則った値であり、利用者の個性に依存するという性質を持つため、あくまでも、目安程度に留める。この値をもって最終完結値ではなく、「色を感性で表現した文字」は利用者や第三者が自由に設定できる値とする。このため、本実施形態における定義に束縛されない。
【００２７】
【表１】
2015032146.tif 000003
【００２８】
次に、ＣＰＵ１０は、基準色の色相に基づいて複数の方向に変換したい複数の類似色を生成する（Ｆ３０５）。
ここでは、基準色から類似色をＬａｂ値で取得する場合について説明する。
なお、本発明ではＬａｂ値だけではなく、ＲＧＢ値やＣＭＹＫ値で取得できる構成とする。なお、その他の方法による説明については省略する。
ここで、図９にＬ＊ａ＊ｂ＊表示系の色度（色相と彩度）を示す。中心点は、Ｌ＊ａ＊ｂ＊表示系の色度図における、利用者が指定した基準色を示した相対的な位置を示す。ａ＊値が＋方向に加算すると、黄色のような色になる傾向になる。同様に、ｂ＊値が−方向に加算すると、青紫色のような色になる。その他の方向についても個々に傾向性がある。この性質を用いて、基準色のＬ＊ａ＊ｂ＊から上下左右８方向に対応した値を加減して、類似色を求めていく。
図９に示すＬ＊ａ＊ｂ＊表示系の色度では、基準色のＬａｂ値をそれぞれ、Ｌ＝Ｘ０，ａ＊＝Ｙ０，ｂ＊＝Ｚ０としたとき、基準色のＬａｂ値からａ＊値を±、またはｂ＊値を±して、合計８方向の類似色を生成する。方向と類似色Ｄの関係を下記の表に示す。
【００２９】
【表２】
2015032146.tif 000004
【００３０】
ｎ値は、基準色からどの程度の値までを類似色と見なすかを示すための値である。このため、ｎ値が大きくなるほど、色の違いが明確に現れてくる。暫定値として、ｎ＝１．０とする。
左上方向（緑色のような色になる）  Ｙ１＝Ｙ０−ｎ，  Ｚ１＝Ｚ０＋ｎ
上方向（黄色のような色になる）  Ｙ２＝Ｙ０，  Ｚ２＝Ｚ０＋ｎ
右上方向（橙色のような色になる）  Ｙ３＝Ｙ０＋ｎ，  Ｚ３＝Ｚ０＋ｎ
左方向（青緑色のような色になる）  Ｙ４＝Ｙ０−ｎ，  Ｚ４＝Ｚ０
右方向（赤紫色のような色になる）  Ｙ５＝Ｙ０＋ｎ，  Ｚ５＝Ｚ０
左下方向（水色のような色になる）  Ｙ６＝Ｙ０−ｎ，  Ｚ６＝Ｚ０−ｎ
下方向（青色のような色になる）  Ｙ７＝Ｙ０，  Ｚ７＝Ｚ０−ｎ
右下方向（紫色のような色になる）  Ｙ８＝Ｙ０＋ｎ，  Ｚ８＝Ｚ０−ｎ
【００３１】
次に、ＣＰＵ１０は、基準色と、生成された複数の類似色と、入力画像のマスクデータを用いて、入力画像データの色調変換処理を行う（Ｆ３０６）。基準色の色調変換処理において、基準色で変換した画像データと、類似色の場合は個数分の画像データを生成することになる。
色調変換処理については、様々な方法がある中で、入力ＲＧＢデータに対して、３次元の行列演算を用いてＲＧＢカラーマップを変換する方法、色彩転写処理などある。
色彩転写処理については、一般的に知られている（例えば、Ｗｅｂサイトでも広く公開されている）方式で行うものとする。
ここでは、色彩転写処理について概要だけ説明する。
色相ヒストグラムＨを定義し、対象画像（入力画像）と事例画像（参照画像）で、色相ヒストグラムＨの形状を一致させることにより、色転写を行うことになる。詳細は非特許文献１を参照されたい。
【００３２】
次に、ＣＰＵ１０は、基準色の色調変換処理、類似色の色調変換処理によって色調変換された画像データを図５に示すように列挙して表示部１４に表示する（Ｆ３０７）。
上述した特許文献４では、色調変換された画像データを図５に示すように列挙して表示するという構成がなかった。このため、特許文献４に記載された発明では、色調変換された画像データのイメージを把握することができなかった。また、特許文献５では、入力画像データの全体に対して、色調や色彩を変換するため、特定の箇所の特定色だけの変換には対応できなかった。
これに対して、本実施形態では、類似色の画像データが８方向（８枚）ある場合、基準色の画像データは中央に配置する。そして、利用者（編集者）が列挙した類似色の画像データ（８枚）の中から選択することができる。
なお、基準色の色調変換処理と、類似色の色調変換処理とは、両者とも全く同じ処理であり、指定色パラメータに違いがあるだけである。
【００３３】
このように、入力画像データを取得し、利用者が基準色を指定し、指定された基準色の色相を変更する。次いで、指定された基準色の色相に基づいて、複数の方向に変換した複数の類似色を生成する。次いで、指定された基準色、生成された複数の類似色に基づいて、入力画像データの色調を変換する。次いで、生成された複数の画像データを列挙して表示部１４に表示する。これにより、入力画像データに対して色調変換処理を行う際に、基準色だけで色調変換処理を行う（すなわち、１枚だけの画像データができる）のではなく、基準色から１方向以上の複数の類似色（ここでは仮に８方向とする）を生成して、この８方向に対応した、８個の類似色で色調変換処理を実行して、８個の画像データを生成して、これらを列挙表示する。この結果、画像処理に係わる操作上の手間を軽減することができ、例えば、従来では少なくとも９回の画像処理を行ったのに対して、本実施形態では１回の画像処理で行うことができる。
また、基準色の色相変換処理により、利用者が求めているイメージにより（別の方式を遙かに超えるぐらい）近づけることができる。
【００３４】
また、指定された基準色に代わって、変更された変更済み基準色の色相に基づいて、複数の方向に変換した複数の類似色を生成することで、画像処理に係わる操作上の手間を軽減することができる。
さらに、指定された基準色に代わって、生成された変更済み基準色、生成された複数の類似色に基づいて、入力画像データの色調を変換することで、画像処理に係わる操作上の手間を軽減することができる。
【００３５】
また、指定された基準色の色相を判別し、該色相に応じた値を用いて色相を変更することで、利用者の好みに応じたシフト量に変更することができる。対応表（表１）を用いて色相を変更することで、利用者がイメージしている色相により近づけることができる。
さらに、図６に示す各ステップを、据え置き型コンピュータ、複写機、組み込み端末、電子計算機、画像データベース、タブレット端末、スマートフォン端末、携帯情報機器、ＩＴ機器、汎用電子計算機、大型電子計算機の何れか１つに搭載されたプロセッサに実行させることで、様々な機器を用いて本発明の画像処理プログラムを利用することができるようになる。
【００３６】
なお、図５に示す色のサンプルは、違いを分かりやすく表示したものであり、実際の（想定される）用途は、微妙な色の違いを列挙することを想定している。具体的には、上記ｎ値を例えば０．５など小さくし、基準色の色調変換処理による結果画像データとの差分が小さくなることで、微妙な違いの画像データを列挙することができる。なお、ｎ値は利用者に直接深く依存するため、具体的な数値を示すのは不可能である。
イメージ通りの複数の結果画像データを列挙表示して選択させることで、利用者が「色調変換などの画像処理」を繰り返し作業するという手間を大幅に省力化することができる。
【００３７】
以上のように、基準色を選択して色調変換処理をしたときの画像データと、基準色から類似色を用意して、類似色から色調変換処理をしたときの画像データを用意して、これらを列挙表示し、これらのいずれかを選択するユーザインターフェース（ＵＩ）を提供することで、利用者（編集者）にとっては、回数分の色調変換処理を繰り返し実行する手間が省くことができる。
【００３８】
＜変形例＞
本発明の実施形態に係る画像処理装置としてデジタルカメラとコンピュータを接続した構成を想定している。コンピュータはパソコン、ノートＰＣ、スマートフォン端末、タブレット端末、ＭＦＰ、専用デバイスなど特定の環境を依存しない構成であってもよい。また、画像処理については、ソフトウェア（もしくはプログラムをＲＯＭなどのハードウェアチップで収納されたもの）を実行する構成であればよい。
【符号の説明】
【００３９】
１…画像処理装置、１０…ＣＰＵ、１１…スキャナ部、１２…外部記憶部、１３…入力画像メモリ部、１４…表示部、１５…操作部、１６…画像処理部、１７、テンプレート出力部、１８…通信制御部、１９…ディスク、２０…記憶装置、Ｃ２０１…入力画像取得部、Ｃ２０２…基準色指定部、Ｃ２０３…色相変更部、Ｃ２０４…類似色生成部、Ｃ２０５…基準色／類似色の色調変換処理部、Ｃ２０６…結果データ出力部
【先行技術文献】
【特許文献】
【００４０】
【特許文献１】特許５００６２６３号
【特許文献２】特許４９９９５９８号
【特許文献３】特開２０１２−１７８８６６号公報
【特許文献４】特開２００７−２２８１８５号公報
【特許文献５】特開２００４−０８０５４９号公報
【００４１】
【非特許文献１】色彩転写処理ｈｔｔｐｓ：／／ｓｎｓ．ｊ−ｓｏｆｔ．ｏｒｇ／９２０１０８／ｔｈｅｓｉｓ／１６６６ｈｔｔｐ：／／ｗｗｗ．ｎｃｓ．ｃｏ．ｊｐ／ｔｅｃｈ／ｉｍａｃｈａｎｇｅｒ／Ｃｈａｐｔｅｒ２／ｉｍｃ２．ｈｔｍｌｈｔｔｐ：／／ｎｉｋｏｍａｔ．ｏｒｇ／ｐｒｉｖ／ｃａｍｅｒａ／ｃｏｌｏｒ／ｉｎｄｅｘ．ｈｔｍｌ
【図１】
2015032146.tif 000005
【図２】
2015032146.tif 000006
【図３】
2015032146.tif 000007
【図４】
2015032146.tif 000008
【図５】
2015032146.tif 000009
【図６】
2015032146.tif 000010
【図７】
2015032146.tif 000011
【図８】
2015032146.tif 000012
【図９】
2015032146.tif 000013
【図１０】
2015032146.tif 000014
【図１１】
2015032146.tif 000015